(57)【特許請求の範囲】
【請求項１】
テレビ放送信号の信号レベル測定回路において，
受信回路に入力するテレビ放送信号の信号強度を検出する第１の検出手段と，
該信号強度から前記受信回路の入力レベルに変換するレベル変換手段と，
受信回路に入力するテレビ放送信号の内，受信回路で受信したディジタルテレビ放送信号に対して放送データを検出する第２の検出手段と，
前記第２の検出手段の動作状態を操作する操作手段と，
該操作手段の操作に基づいて，前記第２の検出手段を動作させるか非動作とするかを切換える動作切換手段と，
前記操作手段の操作に基づいて前記第２の検出手段を動作状態にしたときに，該第２の検出手段で得られる放送データの中から受信信号品位を取得する取得手段と，
前記入力レベル若しくは前記受信信号品位を表示器に表示させる表示手段と，
を具備し，
前記取得手段は，前記第２の検出手段で得られる前記放送データの中からビット誤り率と変調誤差率を取得し，加えて，前記変調誤差率を，信号対雑音比に変換する品位変換手段を，具備し，
前記表示手段は，前記信号レベル測定回路を動作させた状態で，前記第２の検出手段が非動作状態のときは，前記表示器に，少なくとも前記入力レベルを表示し，前記操作手段の操作によって前記第２の検出手段を動作させたときは，前記表示器に，前記受信信号品位として，少なくとも，前記ビット誤り率及び前記変調誤差率の一方と，前記信号対雑音比とを表示することを特徴とする信号レベル測定回路。
【請求項２】
前記受信信号品位に対する基準値を予め備えると共に，該基準値と前記受信信号品位を比較し，その結果に基づいて，前記受信信号品位が基準値より大きいか小さいかを判定する判定手段，を具備し，
前記表示手段は，前記操作手段の操作によって前記第２の検出手段を動作させたときは，前記表示器に，少なくとも前記受信信号品位に加えて前記判定手段による判定結果を表示することを特徴とする請求項１に記載の信号レベル測定回路。
【請求項３】
前記表示手段は，前記操作手段の操作によって前記第２の検出手段を動作させたときは，前記表示器に，所定時間毎若しくは夫々任意の時間毎に，少なくとも前記入力レベルか前記受信信号品位を，交互に表示することを特徴とする請求項１又は請求項２に記載の信号レベル測定回路。
【請求項４】
テレビ放送信号の信号レベル測定回路において，
受信回路に入力するテレビ放送信号の信号強度を検出する第１の検出手段と，
該信号強度から前記受信回路の入力レベルに変換するレベル変換手段と，
受信回路に入力するテレビ放送信号の内，受信回路で受信したディジタルテレビ放送信号に対して放送データを検出する第２の検出手段と，
前記第２の検出手段の動作状態を操作する操作手段と，
該操作手段の操作に基づいて，前記第２の検出手段を動作させるか非動作とするかを切換える動作切換手段と，
前記操作手段の操作に基づいて前記第２の検出手段を動作状態にしたときに，該第２の検出手段で得られる放送データの中から受信信号品位を取得する取得手段と，
前記入力レベル若しくは前記受信信号品位を表示器に表示させる表示手段と，
を具備し，
前記表示手段は，前記信号レベル測定回路を動作させた状態において，前記第２の検出手段が非動作状態のときは，前記表示器に，少なくとも前記入力レベルを表示し，前記操作手段の操作によって前記第２の検出手段を動作させたときは，前記表示器に，所定時間毎若しくは夫々任意の時間毎に，少なくとも前記入力レベルか前記受信信号品位を，交互に表示することを特徴とする信号レベル測定回路。
【請求項５】
請求項１から請求項４の何れか一項に記載の信号レベル測定回路を備えたことを特徴とする信号レベル測定装置。
【請求項６】
前記操作手段は，装置の外周面からダイレクトに操作可能に備えられていることを特徴とする請求項５に記載の信号レベル測定装置。
【発明の詳細な説明】
【技術分野】
【０００１】
本発明は，テレビ放送波の信号レベル測定に関するものであり，特に，ディジタル放送波に対して，信号レベルの測定に加え，アンテナの方向調整を高精度に行なうことのできる信号レベル測定回路と，該回路を備えた信号レベル測定装置に関する。
【背景技術】
【０００２】
ディジタル放送を美しく受信しようとすると，入力レベルが高いだけでは適切な受信品位が得られない場合がある。その原因として，受信信号のＣ／Ｎ（Ｃａｒｒｉｅｒ  Ｔｏ  Ｎｏｉｓｅ）が悪いことによって，受信画像の劣化が生じることがあるためである。そのため，アンテナの方向調整を行なう場合は，アンテナを電波到来方向に正しく向けるばかりでなく，受信Ｃ／Ｎが所定レベル得られているかどうかも確認することが望ましい。これに対応するように，ディジタル放送受信装置において，該装置に備えられた，例えば，ＬＣＤ等を使った前面表示器に，入力レベルと受信信号品位（例えば，Ｃ／Ｎ＝信号対雑音比。以下，信号対雑音比と記載する。）を表示器に同時に表示することで，アンテナの方向調整を正確に行なうことができるような装置が提案されている。
この従来例では，入力レベルと受信信号品位は夫々次のようにして求められている。先ず入力レベルの測定について説明する。ディジタル放送受信装置を構成する選局回路７には，一般的にＡＧＣ付き増幅器が備えられており，この増幅器では出力が常に適正レベルとなるように利得の調整が行なわれている。この制御は，選局回路７において復調された信号を検波することによって得られるＡＧＣ電圧によって行なわれているのであるが，このＡＧＣ電圧が入力信号の強度に応じて変化することから，このＡＧＣ電圧を制御部においてモニタすることで入力レベルが得られる。つまり，制御部では，モニタして得られたアナログデータであるＡＧＣ電圧を，Ａ（Ａｎａｌｏｇ）／Ｄ（Ｄｉｇｉｔａｌ）変換器でディジタルデータに変換することによって，このデータから，予め制御部に記憶されているＡＧＣ電圧と入力レベルとの変換テーブルなどに基づいて入力レベルが求められるのである。
次に，表示器に表示する受信信号品位として得られる信号対雑音比は，次のようにして求められている。衛星アンテナ３から導入された信号は，選局回路７によって選択されて，復調に適したＩＦ信号に変換されてから復調回路８に送られ，希望チャンネルの放送データが再生される。そして，この放送データはエラー検出・訂正回路９において正しく再生される。制御部では，ここで得られた正しい放送データの中からビット誤り率（ＢＥＲ：Ｂｉｔ  Ｅｒｒｏｒ  Ｒａｔｅ  以下，ＢＥＲと記載する。）を抽出し，制御部に予め記憶されている，ＢＥＲと受信信号品位としての信号対雑音比との相関関係変換テーブル等に基づいて信号対雑音比が算出されるのである。
そして，このように得られた入力レベルと信号対雑音比は，表示手段によって装置に備えられた前面表示器に表示されるのである。
（例えば，特許文献１参照）
【０００３】
更に，例えば，入力レベル表示があっても上述のような受信信号品位の表示機能のない受信装置（例えば，チューナー）に対して，該受信装置への入力レベルの測定及びアンテナの方向調整を行なうための装置であって，信号のレベルを測定するレベル測定手段と，ＢＥＲを測定するＢＥＲ測定手段とを備え，各手段によって得られた信号のレベルとＢＥＲとを夫々所定の重み付けをして合成した数値により，電波の到来方向を正しく判定することができる信号レベル測定装置，所謂レベルチェッカーが提案されている。
この従来例においては，図１から図３に良く示されているように，チューナー回路１３から出力されるレベル信号１３ａとＢＥＲ信号１４ａを信号処理回路１４で合成し，その結果を表示部１８に表示するように構成されており，表示部には，入力レベルばかりでなく，受信信号品位を勘案した情報の表示ができるようになっている。
（例えば，特許文献２参照）
【０００４】
【特許文献１】特許第３２７２２４６号公報
【特許文献２】特開２００５−１１７１９５号公報
【発明の開示】
【発明が解決しようとする課題】
【０００５】
しかし，従来のディジタル放送受信装置や信号レベル測定装置に用いられている，ディジタル信号の選局から復調，そして，エラー訂正等の処理をする処理回路，つまり，ディジタルチューナーモジュールは，大量のデータを高速に処理する必要があるので，極めて消費電力が大きいといった問題がある。上記特許文献１は，その形態から，電源は商用電源から得るように構成されているので，電源回路の容量の対応はし易いが，消費電力が大きなることによって，放熱板や，筐体の放熱構造等が複雑になるといった問題がある。
また，特許文献２のように，主にアンテナ直下で使用するのに適するように，電池や充電池などを使ったバッテリー駆動で動作するように構成されたレベルチェッカーにあっては，常に上記ディジタルチューナーモジュールのような消費電力の大きな素子を動作させながら，受信信号品位を調べるために，多くのデータを測定・処理しようとすると，バッテリーの消費が早くなり，予備の電池や充電池をたくさん用意しておく必要があるなど，ユーザーにとっては非常に使い難いものとなってしまうといった問題があった。
そこで本願においては，こうした問題点を解決するためになされたものであり，
その目的は，テレビ放送に適した信号レベル測定回路を提供することにある。
他の目的は，特にディジタル放送に対しては，入力レベルばかりでなく受信信号品の測定ができ，高精度に方向調整が可能な信号レベル測定回路を提供することにある。
他の目的は，ディジタル放送に対しては，信号レベルばかりでなく受信信号品位が一目でわかる信号レベル測定回路を提供することにある。
他の目的は，バッテリー駆動に適した信号レベル測定回路を提供することにある。
他の目的は，省エネルギーな信号レベル測定回路を提供することにある。
他の目的は，上記効果を有した信号レベル測定装置を提供することにある。
他の目的は，屋根上や屋上などの使用において，安全且つ簡単に取扱のできる信号レベル測定装置を提供することにある。
【課題を解決するための手段】
【０００６】
かかる目的を達成するためになされた請求項１に記載の発明は，
テレビ放送信号の信号レベル測定回路において，
受信回路に入力するテレビ放送信号の信号強度を検出する第１の検出手段と，
該信号強度から前記受信回路の入力レベルに変換するレベル変換手段と，
受信回路に入力するテレビ放送信号の内，受信回路で受信したディジタルテレビ放送信号に対して放送データを検出する第２の検出手段と，
前記第２の検出手段の動作状態を操作する操作手段と，
該操作手段の操作に基づいて，前記第２の検出手段を動作させるか非動作とするかを切換える動作切換手段と，
前記操作手段の操作に基づいて前記第２の検出手段を動作状態にしたときに，該第２の検出手段で得られる放送データの中から受信信号品位を取得する取得手段と，
前記入力レベル若しくは前記受信信号品位を表示器に表示させる表示手段と，
を具備し，
前記取得手段は，前記第２の検出手段で得られる前記放送データの中からビット誤り率と変調誤差率を取得し，加えて，前記変調誤差率を，信号対雑音比に変換する品位変換手段を，具備し，
前記表示手段は，前記信号レベル測定回路を動作させた状態で，前記第２の検出手段が非動作状態のときは，前記表示器に，少なくとも前記入力レベルを表示し，前記操作手段の操作によって前記第２の検出手段を動作させたときは，前記表示器に，前記受信信号品位として，少なくとも，前記ビット誤り率及び前記変調誤差率の一方と，前記信号対雑音比とを表示することを特徴とする。
【０００７】
また，請求項２に記載の発明は，請求項１に記載の信号レベル測定回路において，
前記受信信号品位に対する基準値を予め備えると共に，該基準値と前記受信信号品位を比較し，その結果に基づいて，前記受信信号品位が基準値より大きいか小さいかを判定する判定手段，を具備し，
前記表示手段は，前記操作手段の操作によって前記第２の検出手段を動作させたときは，前記表示器に，少なくとも前記受信信号品位に加えて前記判定手段による判定結果を表示することを特徴とする。
【０００８】
また，請求項３に記載の発明は，請求項１又は請求項２に記載の信号レベル測定回路において，
前記表示手段は，前記操作手段の操作によって前記第２の検出手段を動作させたときは，前記表示器に，所定時間毎若しくは夫々任意の時間毎に，少なくとも前記入力レベルか前記受信信号品位を，交互に表示することを特徴とする。
【０００９】
次に，請求項４に記載の発明は，
テレビ放送信号の信号レベル測定回路において，
受信回路に入力するテレビ放送信号の信号強度を検出する第１の検出手段と，
該信号強度から前記受信回路の入力レベルに変換するレベル変換手段と，
受信回路に入力するテレビ放送信号の内，受信回路で受信したディジタルテレビ放送信号に対して放送データを検出する第２の検出手段と，
前記第２の検出手段の動作状態を操作する操作手段と，
該操作手段の操作に基づいて，前記第２の検出手段を動作させるか非動作とするかを切換える動作切換手段と，
前記操作手段の操作に基づいて前記第２の検出手段を動作状態にしたときに，該第２の検出手段で得られる放送データの中から受信信号品位を取得する取得手段と，
前記入力レベル若しくは前記受信信号品位を表示器に表示させる表示手段と，
を具備し，
前記表示手段は，前記信号レベル測定回路を動作させた状態において，前記第２の検出手段が非動作状態のときは，前記表示器に，少なくとも前記入力レベルを表示し，前記操作手段の操作によって前記第２の検出手段を動作させたときは，前記表示器に，所定時間毎若しくは夫々任意の時間毎に，少なくとも前記入力レベルか前記受信信号品位を，交互に表示することを特徴とする。
【００１０】
一方，請求項５に記載の発明は，信号レベル測定装置に関する発明であり，請求項１から請求項４の何れか一項に記載の信号レベル測定回路を備えたことを特徴とする。
【００１１】
また，請求項６に記載の発明は，請求項５に記載の信号レベル測定装置において，前記操作手段は，装置の外周面からダイレクトに操作可能に備えられていることを特徴とする。
【発明の効果】
【００１２】
請求項１に記載の信号レベル測定回路によれば，信号レベル測定回路を動作させた状態で，第２の検出手段が非動作状態のときは，表示器に，少なくとも入力レベルが表示され，操作手段の操作によって第２の検出手段を動作させたときは，表示器に，受信信号品位として，少なくとも，ビット誤り率及び変調誤差率の一方と，信号対雑音比とが表示される。
このため，請求項１に記載の信号レベル測定装置によれば，アナログ放送及びディジタル放送のレベル測定を行なうことができることは勿論，ディジタル放送の信号に対しては，入力レベルの測定に加え，受信信号品位の測定ができ，高精度なアンテナの方向調整が可能となる。
また，受信信号品位の測定（取得）に用いられる第２の検出手段は，受信信号品位の確認が必要な間だけ，操作手段に対する操作によって動作することから，消費電力の少ない，優れた省エネルギー性を有した信号レベル測定回路を提供できる。
【００１３】
また，取得手段は，第２の検出手段で得られる放送データの中からビット誤り率と変調誤差率を取得し，加えて，変調誤差率を，信号対雑音比に変換する品位変換手段を備えており，表示手段が表示器に受信信号品位を表示する際には，受信信号品位として，少なくとも，ビット誤り率及び変調誤差率の一方と，信号対雑音比とを表示する。
このため，請求項１に記載の信号レベル測定回路によれば，主たる目的である，ディジタル放送受信におけるアンテナの方向調整をより正確に行なうことができるばかりでなく，受信しているディジタル放送信号の品質を，２つの異なる具体的な指数を使って，表示器から直接数値で確認できるようになる。
従って，請求項１に記載の信号レベル測定回路によれば，ディジタル放送受信に対する受信信号の品質の，多面的な評価を行なうことができる，極めて，高性能な信号レベル測定回路を提供できる。
【００１４】
次に，請求項２に記載の信号レベル測定回路によれば，操作手段の操作によって第２の検出手段を動作させたときは，表示手段が，表示器に，上述した２つの指数からなる受信信号品位に加えて，判定手段による判定結果（つまり，受信信号品位が基準値より大きいか小さいか否かを表す判定結果）を表示する。
このため，請求項２に記載の信号レベル測定回路によれば，表示器を見るだけで，一目で受信信号品位が基準を満足しているがどうかの確認ができ，利便性がよくなる。
【００１５】
次に，請求項３及び請求項４に記載の信号レベル測定回路によれば，操作手段の操作によって第２の検出手段を動作させたときは，表示手段が，表示器に対し，入力レベルか受信信号品位を，所定時間毎若しくは夫々任意の時間毎に交互に表示する。
このため，請求項３，４に記載の信号レベル測定回路によれば，入力レベルと受信信号品位の両方のデータの確認を必要とする間だけ，簡単な操作で両方のデータが順次確認ができるので，アンテナの方向調整がより行ないやすくなる。
【００１６】
請求項５の発明によれば，請求項１から請求項４の何れか一項に記載の信号レベル測定回路を備えるように信号レベル測定装置を構成したことによって，
アンテナの方向調整が極めて正確にでき，しかも，エネルギー消費量の少ない，信号レベル測定装置を提供できるのである。しかも，省エネルギーな設計となっていることによって，この装置をバッテリー駆動にしても，電池を長く使用することができる。つまり，今後，地上アナログ放送から地上ディジタル放送に変更が進み，新しく地上ディジタルアンテナを設置する工事や，既設のアンテナの方向再調整などの工事が増えても，予備の電池や電池パックをたくさん持たなくてもよくなるので，ユーザーにとって効率の良い作業が行なえる利便性の良い信号レベル測定装置を提供できる。
また，このように省エネルギーな構成にすることによって，装置の電源をバッテリー駆動にしても，使用する電池の本数も少なく，若しくは，充電用の電池パックも小型にすることができ，延いては製品の小型化も実現できることから，例えば，アンテナが設置された屋根上や屋上などでも取扱性がよくなり，危険な場所でアンテナのレベル測定や方向調整を容易に行なうことができるのである。
【００１７】
請求項６の発明によれば，請求項５に記載の信号レベル測定装置において，前記操作手段は，装置の外周面からダイレクトに操作可能に備えたことによって，
アンテナが設置された屋根上や屋上など，危険な場所でアンテナの方向調整であっても，片手だけでも操作性が良く，作業を安全且つ正確に行なうことができるのである。
【発明を実施するための最良の形態】
【００１８】
以下に，本発明を具体化した実施形態の例を，図面を基に詳細に説明する。
図１は本発明に係る地上ディジタル放送システムの一実施形態の構成を示す概念図及び信号レベル測定装置の回路構成を示すブロック図である。図２は他の実施形態の回路構成を示すブロック図である。図３は図１の信号レベル測定装置における電圧モニタの処理ルーチン（タイマ１）を示すフローチャートである。図４は図１の信号レベル測定装置における信号レベル測定処理ルーチンを示すフローチャートである。図５は表示器に表示される項目の一実施形態を示す説明図であり，（ａ）は入力レベル測定モードにおける表示例であり，入力レベル表示として数値とバーによる表示をした例，（ｂ）は受信信号品位測定モードにおける表示例であり，受信信号品位表示としてＣ／ＮとＢＥＲを表示した例，（ｃ）は電圧警告表示の例である。
【実施例１】
【００１９】
図１において，本発明における実施形態の地上ディジタル放送システムは，少なくとも地上ディジタル放送を含むＵＨＦ帯（４７０〜７７０ＭＨｚ）の電波を放射する電波塔１と，該ＵＨＦ帯の電波を受信するためのＵＨＦアンテナ２と，該ＵＨＦアンテナ２で受信した信号のレベルや受信信号品位を測定するための，本発明の信号レベル測定装置１０とで構成されている。
前記ＵＨＦアンテナ２で受信した信号は，同軸ケーブル５を介して信号レベル測定装置１０に伝送される。
【００２０】
同軸ケーブル５によって伝送されてき地上ディジタル放送，若しくは，地上ディジタル放送と地上アナログ放送とを含むＵＨＦ信号は，信号レベル測定装置１０の筐体６に備えた信号入力端子１１から信号レベル測定装置１０内に入力される。入力されたＵＨＦ信号は，図１における１５で示される制御部からの制御信号によって，信号経路を選択的に切換え可能に構成された，例えば高周波リレーからなる信号経路切換部１２に入力される。本発明の実施形態では，この信号経路切換部１２は，入力された信号が２系統の信号経路の何れか一方を通過するように構成されており，一方の出力端１２ａには，第１の検出手段として，ＵＨＦ帯のテレビ放送受信用であって，入力レベル測定用のレベル測定モジュール１３が接続されている。また信号経路切換部１２の他方の出力端１２ｂには，第２の検出手段として，ＵＨＦ地上ディジタル放送受信用であって，受信信号品位測定用のディジタルチューナーモジュール２３が接続されている。つまり，制御部１５からの制御信号に基づいて，信号経路切換部１２を通過したＵＨＦ信号は，前記レベル測定モジュール１３若しくはディジタルチューナーモジュール２３の何れか一方の検出手段に入力されるように構成されている。
尚，この実施形態の信号レベル測定装置１０は，図１における本装置１０に備えられた電源スイッチ３１の操作に基づいて「ＯＮ（入）」，「ＯＦＦ（切）」の操作が行なわれるように構成されており，本発明の実施形態では，電源「ＯＮ」である定常状態において，前記信号経路切換部１２は，出力端１２ａ側の経路が選択され，入力されたＵＨＦ信号は，前記レベル測定モジュール１３に入力されるように設定されている。また，この電源「ＯＮ」の操作に伴って，レベル測定モジュール１３には，定電圧レギュレーター１８を介して，所定の電源電圧が印加され，入力レベルの測定を行なうように構成されており，この状態は，電源「ＯＦＦ」になるまで維持される。即ち，電源スイッチ３１で電源「ＯＮ」にしたときの定常状態とは，言い換えれば入力レベルの測定が可能な「入力レベル測定モード」のことである。
【００２１】
この定常状態において，図１の３２で示される，レベル測定を希望する１つのチャンネルを選局するためのチャンネル切換スイッチの操作に基づいて，希望するチャンネルを選局することができる。つまり，チャンネル切換スイッチ３２の操作に基づいて，制御部１５からレベル測定モジュール１３に対して送出される制御信号によって，前記レベル測定モジュール１３に備えられた，図には示されていないＰＬＬ（Ｐｈａｓｅ  Ｌｏｃｋｅｄ  Ｌｏｏｐ）回路を動作させて発信周波数を制御することによって，入力されたいくつものＵＨＦ信号の中から，希望する１つのチャンネルの信号が選局されるのである。そして，レベル測定モジュール１３は，選局されたチャンネルの信号を中間周波数に変換して出力する。更には，このレベル測定モジュール１３は，前記中間周波数を，例えば検波ダイオード等の検波素子を使って検波することで，入力された信号の強弱を検出するための検波電圧が得られるように構成されている。
この第１の検出手段１３で得られたアナログデータである前記検波電圧は，制御部１５に入力され，制御部１５に備えたＡ（Ａｎａｌｏｇ）／Ｄ（Ｄｉｇｉｔａｌ）変換器（以下，Ａ／Ｄ変換器と記載する。）によりディジタル量に変換される。このデータは，制御部１５に予め記憶させておいた，例えば，レベル測定モジュール１３の入力レベルに対する検波電圧との関係の変換テーブル等に基づいて，前記レベル測定モジュール１３で得られた検波電圧から入力レベルを算出すると共に，筐体６の前面に備えた表示器３５に，入力レベルを表示するためのデータとして使用される。
前記レベル測定モジュール１３は地上アナログ放送の信号でも地上ディジタル放送の信号でも検出でき，制御部１５に，地上アナログ放送と地上ディジタル放送の夫々に対応する換算用の変換テーブル等を備えさせることで，夫々のレベルの測定は可能である。
尚，この変換用テーブルが請求項に記載のレベル変換手段である。また，図１における７は，これらのデータや校正データ等を外部装置から制御部１５に取り入れるためのコネクタである。
【００２２】
このように第１の検出手段１３は，入力されるＵＨＦ信号の中から希望する１つのチャンネルの入力レベルを得るためのデータを検出するためのものであり，本発明の実施形態では，該第１の検出手段１３によって検出されたデータは，制御部１５に入力され，所定の処理をされることによって，図１における表示器３５に表示される。本発明の実施形態における表示器３５への表示例では，測定チャンネルと，そのチャンネルにおける入力レベルを，数値による表示と，入力レベルの変化を視覚的に見ることができるバー表示の２種類の表示を行なうように構成されている。このときの表示器３５による具体的な表示例を図５（ａ）に示す。この図において，表示器３５の上段には，測定チャンネル表示４１（実施例ではｃｈ．１３）及び入力レベル表示４２（実施例ではＬｖ：５８．０ｄＢμ）が表示されており，下段には数字表示４３（実施例では５０）とバー表示４４（実施例では１０個のレベルバーの内８個が点灯）で入力レベルが５８ｄＢμであることを示している。
尚，本発明の表示器３５は，ＬＣＤ（Ｌｉｑｕｉｄ  Ｃｒｙｓｔａｌ  Ｄｉｓｐｌａｙ）から構成されており，このＬＣＤを駆動する回路が請求項に記載の表示手段であり，本発明の実施例では，制御部１５に備えられている。
【００２３】
ここで，信号レベル測定装置１０の概略構成について更に説明する。本発明の実施例では，既に述べたように，電源「ＯＮ」にした定常状態，即ち，「入力レベル測定モード」において，前記信号経路切換部１２は出力端１２ａに至る経路が選択され，ＵＨＦ信号は前記レベル測定モジュール１３に入力されるように，前記制御部１５によって制御されるように構成されている。更には，この電源「ＯＮ」の操作に伴って，レベル測定モジュール１３には，定電圧レギュレーター１８を介して，所定の駆動電圧が印加されるように構成されている。つまり，本発明の実施形態における信号レベル測定装置１０では，電源「ＯＮ」に伴い，その電源である乾電池２６若しくは充電池によって得られる電源電圧は，電源入力切換手段９の端子９ａ−９ｃ，電源リレー２５を介して，定電圧レギュレーター１８に供給されることによって，レベル測定モジュール１３に所定の電圧が供給されるのである。また，電源電圧は，図１に示されるように，ディジタルチューナーモジュール２３用の定電圧レギュレーター１９に供給されていると共に，電源ラインは制御部１５にも接続されており，電源電圧は，制御部１５において常時モニタするように構成されている。
尚，図１における２６ａは，乾電池２６若しくは充電池と装置１０の内部回路とを接続するためのコネクタである。
【００２４】
制御部１５においては，電源電圧を常時モニタすることで電池の残量の判定が行なわれ，この判定に基づいて表示器３５に対して，電池の残量に合わせた電池残量表示３６（図５（ａ），（ｂ）の左下の電池マーク。（ａ）は満充電，（ｂ）は少し消費した状態を示している。）を行なったり，電池の残量が予め定めた所定の電圧より低いと判断された場合には，入力レベル等の表示に替わって，電圧警告表示５５（例えば図５（ｃ）の表示例に示す「Ｌｏｗ  Ｂａｔｔｅｒｙ！！」）を行なったりするような処理がなされる。
【００２５】
ここで電圧モニタの処理ルーチン（タイマ１）について，図３を用いて説明する。電池２６の電圧を取得し，制御部１５に備えられたＡ／Ｄ変換器でディジタル量に変換する（ステップＳ１）。そして，制御部１５の予め設定された値（基準電圧）と比較して（ステップＳ２），基準電圧より高い場合は，表示器３５に電池残量に基づいた電池残量表示３６を行なう（ステップＳ３）。基準電圧より低い場合は，表示器３５に電圧警告表示５５を行なう（ステップＳ４）。
【００２６】
本発明の実施形態では，電源が「ＯＮ」の定常状態であれば，定電圧レギュレーター１８（例えばＤＣ５Ｖが得られる低損失型のレギュレーター）は，上述のように電源電圧を受けて，所定の電圧（例えば，ＤＣ５Ｖ）が，電源「ＯＦＦ」になるまで，レベル測定モジュール１３に対して供給されるように構成されている。ところが，前記定電圧レギュレーター１９（例えばＤＣ３．３Ｖ等が得られる低損失型のレギュレーター）は，図に良く示されるように，制御部１５からの制御信号によって，出力電圧を「ＯＮ」にしたり「ＯＦＦ」にしたりするように制御可能に構成されており，上述のように電源「ＯＮ」と共に電源電圧を受けていても，所定の条件が揃わないと所定の電圧は出力されない構成となっている。
本発明の実施形態におけるこの所定条件とは，電源スイッチ３１「ＯＮ」の定常状態で，且つ，図１に３３で示されるＢＥＲ測定用のＢＥＲボタンを「ＯＮ」にしている間といった条件が設定されており，この所定条件の間だけ，定電圧レギュレーター１９からディジタルチューナーモジュール２３に対して，電源（例えば，ＤＣ３．３Ｖ）が供給され，ディジタルチューナーモジュール２３は，受信信号品位の測定を開始するように構成されている。
本発明の実施形態では，前記所定条件であるＢＥＲボタン３３を「ＯＮ」にする操作方法は，受信信号品位の測定の間だけ，指先などを使ってＢＥＲボタン３３を押し続ける方法である例を示しているが，この方法であれば，指先をＢＥＲボタン３３から離せば，ディジタルチューナーモジュール２３に対して電源の供給が止まり，受信信号品位の測定が自動的に終了するため，ＢＥＲボタン３３の入れっ放しによる，電池の無駄な消費を無くすことができ，すこぶる都合がよい。
【００２７】
前記電源リレー２５は，電源スイッチ３１の操作，若しくは制御部１５からの制御信号に基づいて，電源リレー制御手段２７によって「ＯＮ」，「ＯＦＦ」制御がなされるように構成されている。つまり，この電源リレー制御手段２７は，電源スイッチ３１の操作に基づいて電源リレー２５の「ＯＮ」，「ＯＦＦ」制御を行なうばかりでなく，制御部１５において，最後にキー操作が行なわれた時から，所定時間（例えば５分間）の間に何らかのキー操作が検出されなかった場合などに，制御部１５から出される制御信号に基づいて，電源リレー制御手段２７が電源リレー２５を「ＯＦＦ」にする，オートパワーオフ機能を持たすためのものであり，これによって，電源スイッチ３１の切り忘れなどによる無駄な電力消費を抑えることができる。
【００２８】
尚，前記電源入力切換手段９は，本装置を動作させるための電源の選択を行なうためのスイッチで，乾電池や充電池２６を使用する場合はスイッチを内部電源入力端９ａ―出力端９ｃ側にし，外部電源（例えば，チューナー等の端末側装置であって，該装置から同軸ケーブルを介して重畳されてくる電源）を使用する場合は，スイッチを外部電源入力端９ｂ−出力端９ｃ側にすることによって，筐体６に備えた電源入力端子８から外部からの電源を供給することができるように構成されている。
本装置１０が乾電池２６や充電池専用ならばこの電源入力端子８および電源切換手段９は必要ないのは言うまでもない。このバッテリー専用の信号レベル測定装置２０の回路構成のブロック図を図２に示す。
【００２９】
次に，第２の検出手段２３の駆動に関して更に具体的に説明する。既に述べたように，本発明の実施形態では，この第２の検出手段２３は，信号レベル測定装置１０が定常状態（即ち，電源「ＯＮ」のとき）にあって，且つ，ＢＥＲボタン３３を操作している間だけ，始めて動作するように構成されている。即ち，本発明の実施形態においては，電源「ＯＮ」における定常状態，つまり「入力レベル測定モード」では，前記制御部１５によって，前記信号経路切換部１２は第１の検出手段である前記レベル測定モジュール１３側に接続されていると共に，レベル測定モジュール１３に対して，定電圧レギュレーター１８から所定の駆動電圧が印加されるように制御されており，第２の検出手段２３はＵＨＦ信号も入力されていないし，第２の検出手段の電源電圧も印加されておらず非動作状態にあるように制御されているのである。しかしながら，レベル測定に加えて，受信している信号の受信信号品位の測定を希望する場合は，その必要が生じたときにＢＥＲボタン３３を操作することによって，操作されている間だけ，前記信号経路切換１２は前記第２の検出手段である前記ディジタルチューナーモジュール２３側に接続されると共に，ディジタルチューナーモジュール２３用の定電圧レギュレーター１９から，ディジタルチューナーモジュール２３に対して，所定の駆動電圧が印加され，ディジタルチューナーモジュール２３は受信信号品位の測定可能な状態となる。即ち，電源「ＯＮ」の定常状態で，且つ，ＢＥＲボタン３３が「ＯＮ」である状態は，言い換えれば「受信信号品位測定モード」のことであり，同じくＢＥＲボタン３３は「測定モード切換えボタン」のことである。
更に，本発明の実施形態では，「入力レベル測定モード」から「受信信号品位測定モード」に切換ると同時に，表示器３５には，入力レベルに替わって受信信号品位の表示が行なわれるように構成されている。
【００３０】
本発明の実施形態では，受信信号品位の測定を行なうためのＢＥＲボタン３３の操作方法として，上記のように，測定を必要とする間だけＢＥＲボタン３３を押し続ける方法を示したが，例えば，「入力レベル測定モード」においてＢＥＲボタン３３を一度押せば「受信信号品位測定モード」になり，この状態で所定時間が経過したなら自動的に「入力レベル測定モード」に戻るようにしても良い。また，ＢＥＲボタン３３を一度押せば「受信信号品位測定モード」になり，更にもう一度ＢＥＲボタン３３を押すと「入力レベル測定モード」に戻るように構成しても良い。また，ＢＥＲボタン３３を長押しすることで，受信信号品位の測定モードがロックでき，ロックの解除は，ＢＥＲボタン３３を一度押すことで行なうようような構成にしても良い。更には，上記操作方法を自在に選択できるようにしても良いなど，その操作方法は上記実施形態に限定されるものではない。
また，ＢＥＲボタン３３はその操作の容易性を図るため，装置の筐体６における外周面の位置であって，例えば装置１０を片手でもっても，親指などによって簡単に操作ができる位置に備えさせればすこぶる取扱の良い装置となる。
尚，本発明の実施形態では，前記ＢＥＲボタン３３が請求項に記載の操作手段であり，該ＢＥＲボタン３３の操作を判定し，それに伴って前記定電圧レギュレーター１９の制御を行なうレギュレーター駆動回路が制御部１５に備えられており，該レギュレーター駆動回路が請求項に記載の動作切換手段である。
【００３１】
また，本発明の実施例では，レベル測定モジュール１３に対する電源電圧の供給は，電源「ＯＦＦ」にしない限り，「入力レベル測定モード」では勿論，「受信信号品位測定モード」であっても維持されるように構成されている。つまり，本装置１０の電源が「ＯＮ」であるときは，レベル測定モジュール１３は，何れのキー操作にも係わらず，常時「ＯＮ」の状態にあるように構成されていることによって，レベル測定におけるレベル測定モジュール１３の安定性が保たれ，精度の良いレベル測定ができるし，レベル測定モジュール１３が安定するまで待たなくて良くなるので，レベル測定が短時間で行なえ，ユーザーを待たせることがない。但し，上述したように，オートパワーオフ機能を備えさせているので，電源スイッチのきり忘れ等により，電池を無駄に消費する恐れはない。
【００３２】
ここで，第２の検出手段であるディジタルチューナーモジュール２３の詳細について説明する。本発明の実施形態では，地上ディジタル放送波の信号を測定しているときに，ＢＥＲボタン３３の操作が行なわれたならば，操作が行なわれている間だけ，制御部１５からディジタルチューナーモジュール２３に対して，既に選択されている希望のチャンネル（つまり，信号レベルを測ったチャンネル。異なるチャンネルを希望する場合は，チャンネル切換スイッチ３２の操作によって選択可能である。）の信号を選局するよう指示がなされる。前記ディジタルチューナーモジュール２３では，制御部１５の指示に基づいて，選択された１つのチャンネルを選局する一方，その選局した信号を中間周波数の信号に変換する。そして，得られた中間周波数の信号に対して復調及び誤り訂正等の処理が施されることによって，ディジタルチューナーモジュール２３からは，正しい放送データであるＭＰＥＧ−ＴＳ（Ｍｏｖｉｎｇ  Ｐｉｃｔｕｒｅ  Ｅｘｐｅｒｔｓ  Ｇｒｏｕｐ−Ｔｒａｎｓｐｏｒｔ  Ｓｔｒｅａｍ）信号が出力される。
【００３３】
制御部１５では，前記ディジタルチューナーモジュール２３で得られたＭＰＥＧ−ＴＳ信号の中から，ＢＥＲ値及びＭＥＲ（変調誤差率：Ｍｏｄｕｌａｔｉｏｎ  Ｅｒｒｏｒ  Ｒａｔｉｏ  以下，ＭＥＲと記載する。）値を得ると共に，該ＭＥＲ値より信号対雑音比に所定の変換処理を行なう。そして，このＢＥＲ値及び信号対雑音比は表示器３５によって表示される。
尚，前記ＢＥＲとＭＥＲのデータを取得する回路が，制御部１５に備えた請求項に記載の取得手段であり，前記ＭＥＲから所定の変換データに基づいて信号対雑音比に変換する回路が，制御部１５に備えられた請求項に記載の品位変換手段である。本発明の実施形態においては，前記ＢＥＲと信号対雑音比が受信信号品位であり，この受信信号品位は，制御部１５に備えられた表示器３５のＬＣＤを駆動する回路である表示手段によって，操作手段３３が操作されている間だけ入力レベル表示に替わって表示器３５に表示される。
【００３４】
このように第２の検出手段２３は，入力されるＵＨＦ信号の内，地上ディジタル放送の信号から，希望する１つのチャンネルの受信信号品位（本発明の実施形態では，ＢＥＲ値及び信号対雑音比）を得るための放送データを検出するためのものであり，該第２の検出手段２３によって検出された放送データは，制御部１５に入力され，上記に示すような所定の処理をされることによって，表示器３５に，ＢＥＲ値の表示と，信号対雑音比の２種類の表示が行なわれる。このときの表示器３５による表示例を図５（ｂ）に示す。この図において，表示器３５の上段には，測定チャンネル表示４１（実施例ではｃｈ．１３）及び入力信号のＣ／Ｎ表示５２（実施例ではＣ／Ｎ：２６．１ｄＢ）が表示されており，下段にはＢＥＲ表示５４（実施例ではＢＥＲ：２．００Ｅ−４）が表示されている。そして，本発明の実施形態の特長的なことは，これらの一連の処理は，ＢＥＲボタン３３が「ＯＮ」の間だけ行なわれることである。つまり，多量のディジタルデータを高速で処理するため，電力を大量に消費する前記ディジタルチューナーモジュール２３の駆動時間をできる限り短くし，電池２６の消耗を抑えることを目的としている。
尚，本発明の実施形態では，受信信号品位としてＢＥＲ値及び信号対雑音比を測定して表示するように構成した例を示したが，前記ディジタルチューナーモジュール２３から得られるデータより求められるものなら，ＢＥＲだけでも良いし，ＭＥＲでも良いし，信号対雑音比だけでも良いなど，受信信号品位の表示は，特に実施形態に限定するものではない。
【００３５】
ここで，本発明の信号レベル測定装置１０における，入力レベルと受信信号品位（ＢＥＲ及び信号対雑音比）の取得と表示に至る処理動作について，図４のフローチャートを用いて更に詳しく説明する。
先ず電源スイッチ３１を「ＯＮ」にすると制御部１５において初期化（ステップＳ１０）が行なわれた後に，表示器３５に社名や型式等のタイトルを所定時間だけ表示（ステップＳ１１）する。また，同時に，既に説明した通り，レベル測定モジュール１３に対して電源が供給される。その後，レベル測定モジュール１３の安定化のための所定時間が経過（ステップＳ１２）したなら，ラストステートチャンネル（前回使用時における最後の選択チャンネル。但し，初めて使用する場合は予め設定されたチャンネル）が読み込まれ（ステップＳ１３），表示器３５にはこのチャンネル表示がなされる（ステップＳ１４）。そして，レベル測定モジュール１３に対しては，選択されたチャンネルに基づいて，ＰＬＬ回路の発信周波数を制御し（ステップＳ１５），入力されたいくつものＵＨＦ信号の中から，希望の１つのチャンネルの信号を選局して中間周波数の信号を取出し，この信号を検波する。本発明の実施形態では，この検波電圧が安定するよう所定時間だけ待機（ステップＳ１６）する。その後，所定時間経過したら検波電圧を検出し，該検出したアナログデータを，制御部１５に備えられたＡ／Ｄ変換器によりディジタル量に変換する（ステップＳ１７）。ステップＳ１８からステップＳ２０は，検波電圧と入力レベルとの関係におけるリニアリティーの良い部分を使ってレベル測定するために，例えば検波電圧が所定の値の範囲内となるように，レベル測定モジュール１３に備えられた図には示されていないＡＴＴ（抵抗器：Ａｔｔｎｕａｔｏｒ）の減衰量を増やしたり減らしたりする制御を行ない，レベル測定モジュール１３に最適な入力レベルの信号を入力することによって，正確で安定した検波電圧が得られるような処理をしていることを示しており，制御部１５の制御によって自動的に測定レンジが変更される。そして，このようにして得られた検波電圧は，制御部１５において，入力レベルとの変換テーブルに基づいてディジタルデータに変換されると共に，表示器３５に対して，入力レベル表示４２及び数値表示４３とバー表示４４によって表示される（ステップＳ２１）。このときの表示器３５における表示の一実施形態を図５（ａ）に示す。
【００３６】
この時，電源「ＯＮ」状態のまま，何れのキー操作も行なわれなかった場合（ステップＳ２２），この状態が所定時間続いたがどうかを判定し（タイマ２，ステップＳ２５），この状態が所定時間を超えたなら，バッテリー２６の消耗を防ぐため，電源を「ＯＦＦ」にするオートパワーオフ機能が動作する（ステップＳ２６）。所定時間内にキー操作があったならばステップＳ１７に移行し処理を繰り返す。ステップＳ２２において，所定時間内にキー操作があり，しかもそのキー操作がチャンネル切換スイッチ３２であれば（ステップＳ２３），選択されたチャンネルに設定を変更（ステップＳ３０）し，このチャンネルをラストステートとして記憶（ステップＳ３１）してから，ステップＳ１４に移行して処理を繰り返す。
また，ステップＳ２２において，所定時間内にキー操作があり，しかもそのキー操作がＢＥＲボタン３３であれば（ステップＳ２４），ステップＳ４０に移る。ステップＳ２２において，所定時間内にキー操作があり，しかもそのキー操作がチャンネル切換スイッチ３２でも，ＢＥＲボタン３３でもなければステップＳ１７に移り処理を行なう。
【００３７】
ＢＥＲボタン３３が操作されて「ＯＮ」（ステップＳ２４）になったなら，表示器３５に表示されていた入力レベルの数値表示とバー表示を非表示（ステップＳ４０）にする。そして，ディジタルチューナーモジュール２３用の駆動電源を「ＯＮ」（ステップＳ４１）にして，ディジタルチューナーモジュール２３の初期化（ステップＳ４２）を行なった後に，既に設定されているチャンネル（受信レベルを測定したチャンネル）に対する放送データの中からＢＥＲのデータを取得（ステップＳ４３）し，該データを処理した後に表示器３５に表示（ステップＳ４４）する。更に，放送データの中からＭＥＲのデータを取得（ステップＳ４５）し，このデータを品位変換手段によって信号対雑音比を求め（ステップＳ４６），信号対雑音比を表示器３５に表示（ステップＳ４７）する。この処理は，ＢＥＲボタン３３が「ＯＮ」状態であるか「ＯＦＦ」になったかを判定（ステップＳ４８）して，ＢＥＲボタン３３が「ＯＮ」の間中（例えば，スイッチを指先で押している間中），ステップＳ４３に移行し処理を繰り返す。ＢＥＲボタン３３が「ＯＦＦ」（例えば，スイッチから指先を離したとき）になれば，表示器３５に表示されていたＢＥＲとＣ／Ｎの表示を非表示にし（ステップＳ４９），ディジタルチューナーモジュール２３の電源を「ＯＦＦ」（ステップＳ５０）にした後，ステップＳ１７に移行し，処理を継続して，表示器３５には，選択されたチャンネルの入力レベルの表示を行なう。
【００３８】
次に，このように構成された本発明の信号レベル測定装置１０の使用方法について図１，図５を用いて説明する。先ずＵＨＦアンテナ２の給電部に接続された同軸ケーブル５を，信号レベル測定装置１０の信号入力端子１１に接続する。そして，電源スイッチ３１を「ＯＮ」，つまり「入力レベル測定モード」にして，チャンネル選択ボタン３２でもって希望のチャンネルを選択する。最初，信号レベル測定装置１０の表示器３５は，図５（ａ）において示されるような入力レベル表示になっていることから，このレベル表示を見ながら，先ず，アンテナ２の方向を大まかに行なう。ところが，受信している電波が，地上ディジタル放送である場合は，受信しているレベルが高くても，マルチパスなどの影響によって，必ずしも受信信号品位が高いとは限らないことから，アンテナの方向を大まかに行なったなら，ＢＥＲボタン３３を操作して，「受信信号品位測定モード」に切換え，入力レベルを測定しているチャンネルの受信信号品位（ＢＥＲ及び信号対雑音比）が十分取れているかを確認する。そして，受信信号品位が十分に取れているならば，ＢＥＲボタン３３を「ＯＦＦ」にして，再び「入力レベル測定モード」に戻し，レベル表示，特に，バー表示に注目して，入力レベルがピークを指し示す位置になるようにアンテナの方向調整を行なう。また，受信信号品位が充分なレベルに達していない場合は，ＢＥＲボタン３３を「ＯＮ」にしたままアンテナの方向調整を行ない，受信信号品位の良い信号の到来方向を探る。そして，良い方向が見付かったなら，ＢＥＲボタン３３を「ＯＦＦ」にして，入力レベルが最大となるよう微調整を行なうことで，受信信号品位の良い電波を受信することができる。
また，地上ディジタル放送のレベルを測定する場合は，ＢＥＲボタン３３を操作すれば，受信信号品位が表示される（地上アナログ放送の場合は表示されない）ので，地上アナログ放送の信号と間違えることがない。
【００３９】
また，地上ディジタル放送を含むＵＨＦ帯の信号を受信している既設のシステムにおいて，周囲の環境や，放送信号のレベル変動等によって，突然，受信状況が悪くなった場合であっても，本発明の信号レベル測定装置１０を用いれば，この受信状況の悪化が，放送信号のレベル変動によって生じたのか，それとも受信信号品位の変化によって生じたのかが簡単にわかり，対応が容易にできる。
【００４０】
このように，本発明の実施例に係る信号レベル測定装置１０は，レベル測定だけでなく，特に，ディジタル放送に対しては受信信号品位を使って，アンテナの方向調整をより正確に且つ簡単に行なうことができるものであるが，アンテナ直下での使用が主たる使用方法となるため，作業性のよさや安全性を考慮すれば，信号レベル測定装置１０は，小型軽量であることが望ましく，また，その動力源も乾電池２６等で動作し，且つ，長時間使用できるように構成されていることが望ましい。
ところが，上記のような，放送データを取得するためのディジタルチューナーモジュール２３は，多量のディジタルデータを扱うと共に，これらのデータに対する高速の処理が必要となるため，その消費電力は大きく，装置１０に備えた電池や充電パックの寿命に対して支配的になる。また，小型軽量化のためには電池２６の本数も制限されることになる。つまり，レベル測定モジュール１３とディジタルチューナーモジュール２３を同時に動作させ，入力レベルと受信信号品位を同時に測定し，その結果を表示器３５に同時に表示すれば，アンテナの方向調整はより簡単に，素早くできるようになるものの，電池２６が極めて早く消費されてしまうことになる。また，これに対応するために，電池の本数を多くしたり，充電パックの容量を大きくしたりすれば，結局，この信号レベル測定装置１０が重くなってしまうことになり，使用者に取って，非常に取扱の悪いものになってしまうことになる。特に，屋根上などのアンテナ直下での作業に使う測定装置としては，酷く使いづらいものになってしまう。
【００４１】
そこで本発明の信号レベル測定回路１０によれば，「入力レベル測定モード」においてアナログ放送であってもディジタル放送であっても，レベル測定を行なうことができるのは勿論，特にディジタル放送の信号に対しては，入力レベルの測定に加え，「受信信号品位測定モード」を備えさせることで，受信信号品位の測定ができることから，高精度なアンテナの方向調整が簡単にできる。
しかも，その受信信号品位の測定のための「受信信号品位測定モード」は，受信信号品位の確認が必要な間だけ，操作手段に対する簡単な所定の操作によって，第２の検出手段に対して電源供給がなされることで，初めてデータの取得を開始するように構成されており，消費電力の大きな第２の検出手段は，受信信号品位測定モード以外では非動作とするように構成していることから，電池２６若しくは電池パックの消耗のスピードを抑えることができる，エネルギー消費量の小さい信号レベル測定回路を提供できる。
即ち，この信号レベル測定回路を用いて測定装置を構成すれば，極めてエネルギー消費量の小さな信号レベル測定装置を提供できるのである。つまり，今後，地上アナログ放送から地上ディジタル放送に変更が進み，地上ディジタルアンテナの新規設置や，既設のアンテナの方向再調整などの工事が増えても，予備の電池や電池パックをたくさん持たなくても，より多くの測定が長時間にわたってできるようになるので，ユーザーにとって効率の良い作業が行なえる信号レベル測定装置を提供できる。
また，このような省エネルギーな構成にすることによって，使用する電池の本数も少なく，若しくは，充電用の電池パックも小型にすることができ，結果として，製品の小型化も実現できる。
更に，操作手段３３もその操作の容易性のため，装置の筐体６における外周面の位置であって，例えば装置１０を片手でもっても，親指などによって簡単に操作ができる位置に備えさせていることによって，例えば，アンテナが設置された屋根上や屋上など，危険な場所でアンテナの方向調整であっても，片手だけの操作で安全且つ正確に行なうことができるのである。
【００４２】
尚，本発明は上記実施の形態に限定されるものではなく，以下に例示するように，本発明の趣旨を逸脱しない範囲で各部の構成を適宜に変更して実施することも可能である。
本発明の実施形態に示す信号レベル測定回路及び測定装置では，実施例として，地上アナログ放送と地上ディジタル放送用に構成した例を示したが，衛星放送を利用したアナログ放送とディジタル放送用の信号レベル測定回路及び測定装置用として構成してもよく，実施例に限定されるものではない。また，この信号レベル測定回路をテレビ用のチューナーに代表される端末側装置に内蔵してもよい。この場合は，例えば，チューナーの設定を，アンテナのレベル測定モードにしたときに，上記処理が行なえるように構成すればよい。
また，上記実施形態では，受信信号品位としてＢＥＲと信号対雑音比を測定する例を示したが，この実施例に限定されるものではない。受信信号品位が分かるなら，ＢＥＲだけでも良いし，ＭＥＲでも良いし，信号対雑音比だけでも良い。また，自在に組み合わせても良い。
また，受信信号品位が，所定の値に入っているかいないかを制御部１５において判定して，その結果に基づいて，表示器３５に対してキャラクタ表示を行なうようにしても良い。これによれば，一目で受信信号品位の確認ができ利便性がよくなる。このときの表示器３５における表示例を図５（ｂ）に示しており，本発明の実施例では上段右側の３７で示される○×表示であり，受信信号品位が所定のレベル以上であれば○，それ以下である場合は×を表示する。
また，本発明の実施例では，操作手段としてのＢＥＲボタン３３を操作したときに受信信号品位の測定と表示をおこなうように構成したが，ＢＥＲボタン３３を操作したときは，レベル表示と受信信号品位を，所定時間若しくは任意の時間ごとに交互に測定，表示するように構成しても良い。これによって，一つの操作で両方のデータが順次確認ができるので，アンテナの方向調整がより行ないやすくなる。
また，この測定装置等により得られたデータを，赤外線等を使って例えば携帯電話等に転送できるように構成しても良い。これによって，パソコン等を使って，例えばデータベースの作成が容易にできるようになる。図１に示す３８が赤外線送信手段であり，入力レベルや受信信号品位は，制御部１５によって制御され，赤外線送信窓３９を介して出力される。
【図面の簡単な説明】
【００４３】
【図１】本発明に係る地上ディジタル放送システムの一実施形態の構成を示す概念図及び信号レベル測定装置の回路構成を示すブロック図である。
【図２】本発明に係る信号レベル測定装置の，他の実施形態の回路構成を示すブロック図である。
【図３】図１の信号レベル測定装置における電圧モニタの処理ルーチン（タイマ１）を示すフローチャートである。
【図４】図１の信号レベル測定装置における信号レベル測定処理ルーチンを示すフローチャートである。
【図５】表示器に表示される項目の一実施形態を示す説明図であり，（ａ）は入力レベル測定モードにおける表示例であり，入力レベル表示として数値とバーによる表示をした例，（ｂ）は受信信号品位測定モードにおける表示例であり，受信信号品位表示としてＣ／ＮとＢＥＲを表示した例，（ｃ）は電圧警告表示の例である。
【符号の説明】
【００４４】
１…電波塔，２…アンテナ，５…同軸ケーブル，６…筐体，７…コネクタ，８…電源入力端子，９…電源入力切換手段，９ａ…内部電源入力端，９ｂ…外部電源入力端，９ｃ…出力端，１０…信号レベル測定装置，１１…信号入力端子，１２…信号経路切換手段，１２ａ・１２ｂ…出力端，１３…レベル測定モジュール，１５…制御部，１８…定電圧レギュレーター，１９…定電圧レギュレーター，２３…ディジタルチューナーモジュール，２５…電源リレー，２６…乾電池（充電池），２６ａ…コネクタ，２７…電源リレー制御手段，３１…電源スイッチ，３２…チャンネル切換スイッチ，３３…ＢＥＲボタン，３５…表示器，３６…電池残量表示，３７…受信信号品位表示，３８…赤外線送信手段，３９…赤外線送信窓，４１…測定チャンネル表示，４２…入力レベル表示，４３…数字表示，４４…バー表示，５２…Ｃ／Ｎ表示，５４…ＢＥＲ表示，５５…電圧警告表示。
【図１】
0005048534.tif 000002
【図２】
0005048534.tif 000003
【図３】
0005048534.tif 000004
【図４】
0005048534.tif 000005
【図５】
0005048534.tif 000006